(57)【要約】      （修正有）【課題】ゴルフクラブの組立を完成した後、その表面にいかなる露出結合孔または固定部材を無くすことでクラブ表面の完全性を保持し、かつ水分の進入による腐食の恐れを少なくしたゴルフクラブを提供する。【解決手段】ホーゼル１３はヘッド本体１１とフェース板１２の間に設けられ、かつホーゼル１３は頚部１３１と組立部１３２により構成される。頚部１３１はヘッド本体１１とフェース板１２の表面から突出するように形成され、組立部１３２はヘッド本体１１とフェース板１２の内に被覆され、頚部１３１の端面には組立孔１３３が設けられ、組立部１３２の外表面には組立孔１３３まで貫穿するように少なくとも一個の結合孔１３４が設けられ、かつそれぞれの結合孔１３４には全て結合体が設けられる。急速連結ユニット２は組立孔１３３の中に設けられ、かつそれぞれの結合体とは互いに結合するように形成される。シャフト３の一端は急速連結ユニット２に固設されるように構成されている。【選択図】図１
0003173428.tif 000002
【実用新案登録請求の範囲】
【請求項１】
一個のゴルフクラブ（１）、一個の急速解除ユニット（２）および一個のシャフト（３）を有するゴルフクラブにおいて、ゴルフクラブ（１）には一個のヘッド本体（１１）、一個のフェース板（１２）および一個のホーゼル（１３）が含まれ、ヘッド本体（１１）とフェース板（１２）は互いに結合するように形成され、ホーゼル（１３）はヘッド本体（１１）とフェース板（１２）の間に設けられ、かつホーゼル（１３）は一個の頚部（１３１）と一個の組立部（１３２）により構成され、頚部（１３１）はヘッド本体（１１）とフェース板（１２）の表面から突出するように形成され、組立部（１３２）はヘッド本体（１１）とフェース板（１２）の内に被覆され、頚部（１３１）の端面には一個の組立孔（１３３）が組立部（１３２）まで凹み込むように設けられ、組立部（１３２）の外表面には少なくとも一個の結合孔（１３４）が組立孔（１３３）まで貫穿するように設けられ、かつそれぞれの結合孔（１３４）には全て結合体（４）が設けられ、急速解除ユニット（２）は組立孔（１３３）の中に設けられ、かつそれぞれの結合体（４）と互いに結合するように形成され、シャフト（３）の一端は急速解除ユニット（２）に固設されることを特徴とするゴルフクラブ。
【請求項２】
急速解除ユニット（２）には一個の位置決めリング（２１）と一個のスリーブ（２２）が含まれ、それぞれの結合体（４）は位置決めリング（２１）と結合し、スリーブ（２２）は位置決めリング（２１）に設けられ、かつシャフト（３）はスリーブ（２２）に設けられることを特徴とする請求項１に記載のゴルフクラブ。
【請求項３】
位置決めリング（２１）には一個の位置決め孔（２１１）が含まれ、位置決め孔（２１１）の径方向の断面形状は非真円形であり、スリーブ（２２）には二個の端面が含まれ、その内の一方の端面には一個の固定孔（２２１）が設けられ、シャフト（３）は固定孔（２２１）に設けられ、スリーブ（２２）のもう一方の端面には一個の固定部（２２２）が設けられ、固定部（２２２）は固定孔（２２１）に沿った径方向の断面形状が位置決め孔（２１１）の径方向の断面形状と同じであり、かつ固定部（２２２）は位置決め孔（２１１）の中に設けられることを特徴とする請求項２に記載のゴルフクラブ。
【請求項４】
それぞれの結合体（４）は位置決めリング（２１）の外周面に結合されることを特徴とする請求項３に記載のゴルフクラブ。
【請求項５】
組立孔（１３３）の内周壁面には一個の係止部（１３５）が設けられ、位置決めリング（２１）は係止部（１３５）に当接するように形成されることを特徴とする請求項２、３または４に記載のゴルフクラブ。
【請求項６】
固定部（２２２）が形成されるスリーブ（２２）の端面には一個のねじ孔（２２３）が設けられ、係止部（１３５）は一個の平板からなり、かつねじ孔（２２３）に相対するように一個の貫穿孔（１３６）が設けられ、貫穿孔（１３６）は一個の固定部材（５）が貫穿してねじ孔（２２３）と螺合するのに用いられることを特徴とする請求項５に記載のゴルフクラブ。
【請求項７】
固定孔（６２１）の内には一個の嵌設部（６２２）が設けられ、シャフト（３’）が固定孔（６２１）内に設けられる端面にも一個の嵌設部（３１’）が設けられ、かつシャフト（３’）の嵌設部（３１’）は固定孔（６２１）内の嵌設部（６２２）に結合されることを特徴とする請求項３または４に記載のゴルフクラブ。
【請求項８】
二個の嵌設部（６２２、３１’）は相対する一個の突出体と一個の係止溝からなることを特徴とする請求項７に記載のゴルフクラブ。
【請求項９】
スリーブ（６２）の外周面には一個の締め付け部（６２５）が設けられ、締め付け部（６２５）は固定孔（６２１）が設けられるスリーブ（６２）の端面に隣接するとともに、上記端面に向かって段々と縮小するように形成され、かつ締め付け部（６２５）には固定孔（６２１）の軸方向に沿って複数個のスリット（６２６）が設けられ、ゴルフクラブ（１）には他に一個の締め付け部材（６３）が含まれ、締め付け部材（６３）には一個の円錐形の押圧孔（６３１）が含まれ、押圧孔（６３１）の内周壁面の押圧によって締め付け部（６２５）はシャフト（３’）に当接するように形成されることを特徴とする請求項３または４に記載のゴルフクラブ。
【請求項１０】
ホーゼル（１３）はヘッド本体（１１）またはフェース板（１２）に一体になるように固設されることを特徴とする請求項１、２、３または４に記載のゴルフクラブ。
【考案の詳細な説明】
【技術分野】
【０００１】
本考案は、ゴルフクラブに関するもので、特にクラブヘッドとシャフトを結合した後、その外観は表面の完全性を有するゴルフクラブに係るものである。
【背景技術】
【０００２】
従来のゴルフクラブの一種として、例えば中華民国公告第Ｍ３０６１２７号の「ゴルフクラブヘッドの角度調整自在の結合構造」（特許文献１を参照）と図６に掲示されるゴルフクラブヘッドを参照すると、ゴルフクラブには一個のクラブヘッド８１、一個の急速解除ユニット８２および一個のシャフト８３が含まれ、かつクラブヘッド８１は急速解除ユニット８２を通じてシャフト８３の一端に組み立てられる。その中、クラブヘッド８１には突き出るように一個の頚部８１１が形成され、頚部８１１の端面には一個の調整孔８１２が設けられ、かつ頚部８１１の外表面において調整孔８１２の径方向に沿って一個の係止孔８１３が設けられる。急速解除ユニット８２には一個の位置決めリング８２１、一個のワッシャ８２２、一個の調節リング８２３、一個の係止軸８２４、一個のスリーブ管８２５および一個の固定スリーブ８２６が含まれ、かつ係止軸８２４とスリーブ管８２５にはそれぞれ一個の係止孔８２４ａ、８２５ａが全て設けられる。
【０００３】
上述した従来のゴルフクラブの構造を組み立てる時、主に一個の固定部材８４を利用してクラブヘッド８１の係止孔８１３を貫穿し、それから係止軸８２４とスリーブ管８２５の係止孔８２４ａ、８２５ａの中に螺設して固定することにより、クラブヘッド８１とシャフト８３を組み合わせて一個のゴルフクラブとして形成することができるようにしたものである。
【０００４】
従来の別のゴルフクラブとして、例えば特開２００８−２８４２８９号の「ゴルフクラブ」（特許文献２を参照）と図７に掲示されるゴルフクラブヘッドを参照すると、ゴルフクラブには一個のクラブヘッド９１、一個のスリーブ管９２、一個の固定リング９３、一個のシャフト９４および一個の固定部材９５が含まれる。その中、クラブヘッド９１には突き出るように一個の頚部９１１が形成され、頚部９１１の端面には一個の組立孔９１２と複数個の係止溝９１３が設けられ、かつ頚部９１１の外表面において組立孔９１２の径方向に沿って一個の係止孔９１４が設けられる。スリーブ管９２の一端の端面には一個の固定孔９２１が設けられ、かつその端面の外周面には複数個の突出体９２２が設けられ、スリーブ管９２のもう一端の端面の外周面には固定孔９２１の径方向に沿って一個の係止孔９２３が設けられる。
【０００５】
この従来のゴルフクラブの構造を組み立てる時、シャフト９４の一端は固定スリーブ９３を貫穿し、それからスリーブ管９２の固定孔９２１の中に貫穿して固定され、スリーブ管９２に係止孔９２３が設けられる一端は組立孔９１２の中に貫穿され、かつそれぞれの突出体９２２はそれぞれの係止溝９１３に嵌設され、ホーゼル９２のねじ孔９２３とクラブヘッド９１の係止孔９１４とは互いに合わせるように形成され、それから再び固定部材９５を利用して螺設して固定することにより、クラブヘッド９１とシャフト９４を組み合わせて一個のゴルフクラブとして形成することができるようにしたものである。
【先行技術文献】
【特許文献】
【０００６】
【特許文献１】中華民国公告第Ｍ３０６１２７号
【特許文献２】特開２００８−２８４２８９号
【考案の概要】
【考案が解決しようとする課題】
【０００７】
上述した従来のゴルフクラブの前者のものにおいては、一般的に次のような問題点を有している。従来のゴルフクラブの構造では、クラブヘッド８１の外表面において係止孔８１３を設け、係止孔８１３に固定部材８４を貫穿して係止軸８２４とスリーブ管８２５を螺設して組み立てなければならず、そのためにゴルフクラブの表面の完全性を破壊してしまうという問題点があった。また、外部の水気も係止孔８１３と固定部材８４の間の隙間を経由してクラブヘッド８１の内部に滲み込み易くなり、固定部材８４と頚部８１１の内に組み立てられる係止軸８２４およびスリーブ管８２５は腐食したりまたは酸化したりすることにより、それぞれの部材の間が緩むようになるため、ゴルフクラブの使用寿命に影響を及ぼしてしまうという問題点があった。さらに、従来の構造ではその構成される部材が多くなるため、部材の製造コストが高くなり、かつ組立の製造工程が複雑になるという問題点があった。
【０００８】
また、後者の従来のゴルフクラブにおいては、上述した前者のゴルフクラブの構造と比較すると、その構成される部材は相対的に簡単化にされるが、依然として固定部材９５がクラブヘッド９１の表面から露出する問題を解決することができないため、依然としてゴルフクラブの表面の完全性を破壊してしまうという問題点があった。また、外部の水気も係止孔９１４と固定部材９５の間の隙間から滲み込み易くなり、クラブヘッド９１の内部のそれぞれの部材は腐食したりまたは酸化したりすることにより、それぞれの部材の間が緩むようになるため、同様にゴルフクラブの使用寿命に影響を及ぼしてしまうという問題点があった。このように、上記のような従来のゴルフクラブはさらなる改良を必要とするものであった。
【０００９】
本考案はこのような問題点に鑑みて考案されたものであって、その主な目的とするところは、ゴルフクラブの表面の完全性を破壊することがないゴルフクラブを提供することである。
【００１０】
本考案の第二の目的は、水気がゴルフクラブの内部に滲み込むのを防止することにより、ゴルフクラブの内部に組み立てられる部材が腐食したり酸化したりするのを避けることができるゴルフクラブを提供するにある。
【課題を解決するための手段】
【００１１】
上記目的を達成するために、本考案によるゴルフクラブは、一個のゴルフクラブ、一個の急速解除ユニットおよび一個のシャフトを有する。ゴルフクラブには一個のヘッド本体、一個のフェース板と一個のホーゼルが含まれ、ヘッド本体とフェース板は互いに結合するように形成される。ホーゼルはヘッド本体とフェース板の間に設けられ、かつホーゼルは一個の頚部と一個の組立部により構成される。頚部はヘッド本体とフェース板の表面から突出するように形成され、組立部はヘッド本体とフェース板の内に被覆される。頚部の端面には組立部まで凹み込むように一個の組立孔が設けられ、組立部の外表面には組立孔まで貫穿する少なくとも一個の結合孔が設けられ、かつそれぞれの結合孔には全て結合体が設けられる。急速解除ユニットは組立孔の中に設けられ、かつそれぞれの結合体と互いに結合するように形成される。シャフトの一端は急速解除ユニットに固設される。
【００１２】
また、急速解除ユニットには一個の位置決めリングと一個のスリーブが含まれ、それぞれの結合体は位置決めリングと結合し、スリーブは位置決めリングに設けられ、かつシャフトはスリーブに設けられることもできる。また、位置決めリングには一個の位置決め孔が含まれ、位置決め孔の径方向の断面形状は非正円形であり、スリーブには二個の端面が含まれ、その内の一個の端面には一個の固定孔が設けられ、シャフトは固定孔に設けられ、スリーブのもう一方の端面には一個の固定部が設けられ、固定部が固定孔に沿った径方向の断面形状は位置決め孔の径方向の断面形状とは同じであり、かつ固定部は位置決め孔の中に設けられることもできる。また、それぞれの結合体は位置決めリングの外周面に結合されることもできる。また、組立孔の内周壁面には一個の係止部が設けられ、位置決めリングは係止部に当接するように形成されることもできる。また、スリーブにおいて固定部が形成される端面には一個のねじ孔が設けられ、係止部は一個の平板からなり、かつねじ孔に相対するように一個の貫穿孔が設けられ、貫穿孔は一個の固定部材が貫穿してねじ孔と螺合するのに用いられることもできる。また、固定孔の内には一個の嵌設部が設けられ、シャフトが固定孔の内に設けられる端面にも一個の嵌設部が設けられ、かつシャフトの嵌設部は固定孔の内の嵌設部に結合されることもできる。また、二個の嵌設部は相対する一個の突出体と一個の係止溝からなることもできる。また、スリーブの外周面には一個の締め付け部が設けられ、締め付け部はスリーブにおいて固定孔が設けられる端面に隣接するとともに、上記端面に向かって段々と縮小するように形成され、かつ締め付け部には固定孔の軸方向に沿って複数個のスリットが設けられ、ゴルフクラブには他に一個の締め付け部材が含まれ、締め付け部材には一個の円錐形の押圧孔が含まれ、押圧孔の内周壁面の押圧によって締め付け部はシャフトに当接するように形成されることもできる。また、ホーゼルは一体になるようにヘッド本体またはフェース板に固設されることもできる。
【考案の効果】
【００１３】
本考案のゴルフクラブによれば、ゴルフクラブの表面の完全性を破壊することがないという利点がある。
【００１４】
本考案のゴルフクラブによれば、水気がゴルフクラブの内部に滲み込むのを防止することができるため、ゴルフクラブの内部に組み立てられる部材が腐食したり酸化したりするのを避けることができるという利点がある。
【図面の簡単な説明】
【００１５】
【図１】図１は、本考案の実施例１によるゴルフクラブの分解斜視図である。
【図２】図２は、本考案の実施例１によるゴルフクラブの分解平面図である。
【図３】図３は、本考案の実施例１によるゴルフクラブの組み立てられた状態の断面図である。
【図４】図４は、本考案の実施例２によるゴルフクラブの分解斜視図である。
【図５】図５は、本考案の実施例２によるゴルフクラブの組み立てられた状態の断面図である。
【図６】図６は、従来のゴルフクラブを示す解斜視図である。
【図７】図７は、別の従来のゴルフクラブを示す分解平面図である。
【考案を実施するための形態】
【００１６】
本考案の実施の形態について、以下、図面を参照して説明する。
【実施例１】
【００１７】
図１は本考案の実施例１によるゴルフクラブの分解斜視図で、図２は本考案の実施例１によるゴルフクラブの分解平面図である。図１、２を参照すると、本考案の実施例１のゴルフクラブには一個のクラブヘッド１、一個の急速解除ユニット２および一個のシャフト３が含まれる。その中、クラブヘッド１は急速解除ユニット２を通じてシャフト３の一端に組み立てられる。このため、使用者は手でシャフト３を握ってクラブヘッド１を利用して打球することができる。
【００１８】
クラブヘッド１には一個のヘッド本体１１、一個のフェース板１２および一個のホーゼル１３が含まれる。ヘッド本体１１とフェース板１２は互いに結合するように形成され、ホーゼル１３はヘッド本体１１とフェース板１２の間に設けられる。また、ホーゼル１３を予め一体になるようにヘッド本体１１とフェース板１２の内の一方に固設することもできる。実施例１においてホーゼル１３はフェース板１２に固設され、かつホーゼル１３は一個の頚部１３１と一個の組立部１３２により構成される。頚部１３１はヘッド本体１１とフェース板１２の外表面から突設するように形成され、組立部１３２はヘッド本体１１とフェース板１２の内部に被覆される。頚部１３１の端面には一個の組立孔１３３が設けられる。組立孔１３３は頚部１３１の端面から組立部１３２まで凹み込むように設けられ、かつ組立部１３２の外表面には組立孔１３３まで貫穿するように少なくとも一個の結合孔１３４が設けられ、それぞれの結合孔１３４は組立孔１３３の径方向に沿って貫穿するように設けられる。
【００１９】
その他に、組立孔１３３の内周壁面には一個の係止部１３５が設けられる。係止部１３５は一個の平板または一個の環状体からなる。実施例１においては係止部１３５は一個の環状体からなり、かつその中央に一個の貫穿孔１３６が形成される。
【００２０】
図３は本考案の実施例１によるゴルフクラブの組み立てられた状態の断面図である。図１、２、３を参照すると、急速解除ユニット２はクラブヘッド１の頚部１３１とシャフト３の間を連結するのに用いられる。実施例１において、急速解除ユニット２は一個の位置決めリング２１と一個のスリーブ２２により構成されるが、これだけに限定されるものではない。位置決めリング２１には一個の位置決め孔２１１が含まれ、位置決め孔２１１の径方向の断面形状は非正円形からなることができる。位置決めリング２１は組立孔１３３の中に設けられ、位置決めリング２１は係止部１３５に当接するように形成され、かつそれぞれの結合孔１３４が組立孔１３３の内周壁面を貫穿する一端は位置決めリング２１の外周面に向くように形成される。これにより、少なくとも一個の結合体４を利用してそれぞれの結合孔１３４に設け、さらに位置決めリング２１の外周面に結合されることにより、位置決めリング２１は組立孔１３３に相対して移動したりまたは回動したりすることはできなくなる。
【００２１】
結合体４はいかなるホーゼル１３と位置決めリング２１とを互いに固定する結合物質からなることができ、例えば溶接材、粘着剤、ピンまたはボルトである。実施例１において結合体４は溶接材または粘着剤からなり、この溶接材または粘着剤がそれぞれの結合孔１３４の中に充填され、そして固化して成形された時、上記溶接材または粘着剤は同時に位置決めリング２１の外周面に結合されるため、位置決めリング２１は安定して組立孔１３３の中に結合される。また、結合体４もピンまたはボルトからなることができ、それは位置決めリング２１の外周面においてそれぞれの結合孔１３４に相対する場所に係止孔またはねじ孔が設けられることにより、上記ピンまたはボルトはそれぞれの結合孔１３４を経由して係止孔またはねじ孔の中に固定されるため、同様に位置決めリング２１を安定して組立孔１３３の中に結合することができる。
【００２２】
スリーブ２２には二個の端面が含まれ、その内の一方の端面には一個の固定孔２２１が設けられ、スリーブ２２のもう一方の端面には一個の固定部２２２が設けられ、かつ固定部２２２が固定孔２２１に沿った径方向の断面形状は位置決め孔２１１の径方向の断面形状と同じである。スリーブ２２も組立孔１３３の中に設けられ、さらに固定部２２２は位置決め孔２１１に貫穿され、かつ固定部２２２と位置決め孔２１１が互いに嵌合するのを利用し、スリーブ２２はホーゼル１３に相対して回動することができなくなる。
【００２３】
スリーブ２２を組立孔１３３に置き入れる時、スリーブ２２の外表面と組立孔１３３の内周壁面の間において粘着剤を塗布することにより、スリーブ２２を安定して組立孔１３３の中に結合することができる。または、スリーブ２２において固定部２２２が設けられる端面に一個のねじ孔２２３を増設し、さらに一個の固定部材５を利用して貫穿孔１３６を経由してねじ孔２２３の中に螺設することにより、スリーブ２２とホーゼル１３の安定した結合作用を確保することができる。
【００２４】
シャフト３の一端は固定孔２２１の中に設けられ、かつシャフト３を固定孔２２１に置き入れる時、同様にシャフト３の外表面と固定孔２２１の内周壁面の間に粘着剤を塗布することにより、シャフト３は安定して固定孔２２１の中に結合される。
【００２５】
本考案のホーゼル１３の組立部１３２はヘッド本体１１とフェース板１２の内部に被覆されるため、かつ組立部１３２に急速解除ユニット２を結合するための結合孔１３もヘッド本体１１とフェース板１２の内部に被覆されるため、ゴルフクラブの組み立てを終えた後、クラブヘッド１の表面においてはいかなる結合孔または固定部材も露出せず、ゴルフクラブの表面の完全性を破壊することはない。また、本考案のゴルフクラブの表面にはいかなる穴または隙間もないため、水気がクラブヘッド１の内部に滲み込むのを避けることができ、そのため、クラブヘッドの内部に組み立てられるそれぞれの部材が腐食または酸化によって緩んでしまうのを防止することができ、ゴルフクラブの打球の性能と使用寿命に悪影響を及ぼすことはない。
【実施例２】
【００２６】
図４は本考案の実施例２によるゴルフクラブの分解斜視図で、図５は本考案の実施例２によるゴルフクラブの組み立てられた状態の断面図である。図４、５を参照すると、本考案の実施例２のゴルフクラブにも一個のクラブヘッド１、一個の急速解除ユニット６および一個のシャフト３’が含まれる。その中、実施例２のクラブヘッド１は上述した実施例１と大体同じである。
【００２７】
急速解除ユニット６には一個の位置決めリング６１、一個のスリーブ６２および一個の締め付け部材６３が含まれる。位置決めリング６１にも径方向の断面形状が非正円形である一個の位置決め孔６１１が含まれ、さらにそれぞれの結合体４を利用してそれぞれの結合孔１３４を経由して位置決めリング６１の外周面に固定される。スリーブ６２には二個の端面が含まれ、その内の一方の端面には一個の固定孔６２１が設けられ、かつ固定孔６２１の内には一個の嵌設部６２２が含まれ、スリーブ６２の他方の端面には一個の固定部６２３が形成され、かつ固定部６２３が固定孔６２１に沿った径方向の断面形状は位置決め孔６１１の径方向の断面形状と同じである。
【００２８】
他に、スリーブ６２の外周面には一個のねじ部６２４と一個の締め付け部６２５が設けられる。締め付け部６２５は固定孔６２１が設けられる端面に隣接するとともに、上記端面に向かって段々と縮小するように形成され、かつ締め付け部６２５には固定孔６２１の軸方向に沿って複数個のスリット６２６が設けられる。スリーブ６２は組立孔１３３の中に設けられ、さらに固定部６２３は位置決め孔６１１に貫穿され、かつ固定部６２３と位置決め孔６１１が互いに嵌合するのを利用し、スリーブ６２はホーゼル１３に相対して回動することはできなくなる。また、スリーブ６２を組立孔１３３に置き入れる時、スリーブ６２の外表面と組立孔１３３の内周壁面の間において粘着剤を塗布することにより、スリーブ６２を安定して組立孔１３３の中に結合することができる。さらに、締め付け部材６３には一個の円錐形の押圧孔６３１が含まれ、かつ押圧孔６３１の内周壁面には一個のねじ部６３２が形成される。
【００２９】
シャフト３’の一端には一個の嵌設部３１’が設けられ、かつシャフト３’は嵌設部３１’が設けられる端面で締め付け部材６３の押圧孔６３１を貫穿した後、再び固定孔６２１の中に貫穿して設けられるため、シャフト３’の嵌設部３１’は固定孔６２１の内の嵌設部６２２に固定され、かつ二個の嵌設部３１’、６２２は相対する一個の突出体と一個の係止溝からなることができる。締め付け部材６３のねじ部６３２はスリーブ６２のねじ部６２４に螺設され、かつ締め付け部材６３の螺設による前進の過程において円錐状の押圧孔６３１はスリーブ６２の締め付け部６２５を固定孔６２１の中央に向かって集中するように押圧させ、さらにシャフト３’の外表面に当接させることにより、シャフト３’は安定して固定孔６２１の中に固定される。
【００３０】
上述したように、本考案のゴルフクラブの組み立てを終えた後、クラブヘッドの表面においてはいかなる結合孔または固定部材も露出しないため、ゴルフクラブの表面の完全性を破壊することはない。また、水気がクラブヘッドの内部に滲み込むのを避けることができ、さらにクラブヘッドの内部に組み立てられるそれぞれの部材が腐食または酸化によって緩んでしまうのを防止することができるため、ゴルフクラブの打球の性能と使用寿命に悪影響を及ぼすことはない。
【００３１】
本考案は、その精神と必須の特徴事項から逸脱することなく他のやり方で実施することもできる。従って、本明細書に記載した好ましい実施例は例示的なものであり、限定的なものではない。
【符号の説明】
【００３２】
１    クラブヘッド
１１    ヘッド本体
１２    フェース板
１３    ホーゼル
１３１    頚部
１３２    組立部
１３３    組立孔
１３４    結合孔
１３５    係止部
１３６    貫穿孔
２    急速解除ユニット
２１    位置決めリング
２１１    位置決め孔
２２    スリーブ
２２１    固定孔
２２２    固定部
２２３    ねじ孔
３    シャフト
３’    シャフト
３１’    嵌設部
４    結合体
５    固定部材
６    急速解除ユニット
６１    位置決めリング
６１１    位置決め孔
６２    スリーブ
６２１    固定孔
６２２    嵌設部
６２３    固定部
６２４    ねじ部
６２５    締め付け部
６２６    スリット
６３    締め付け部材
６３１    押圧孔
６３２    ねじ部
８１    クラブヘッド
８１１    頚部
８１２    調整孔
８１３    係止孔
８２    急速解除ユニット
８２１    位置決めリング
８２２    ワッシャ
８２３    調節リング
８２４    係止軸
８２４ａ    係止孔
８２５    スリーブ管
８２５ａ    係止孔
８２６    固定スリーブ
８３    シャフト
８４    固定部材
９１    クラブヘッド
９１１    頚部
９１２    組立孔
９１３    係止溝
９１４    係止孔
９２    スリーブ管
９２１    固定孔
９２２    突出体
９２３    ねじ孔
９３    固定リング
９４    シャフト
９５    固定部材
【図１】
0003173428.tif 000003
【図２】
0003173428.tif 000004
【図３】
0003173428.tif 000005
【図４】
0003173428.tif 000006
【図５】
0003173428.tif 000007
【図６】
0003173428.tif 000008
【図７】
0003173428.tif 000009
【手続補正書】
【提出日】平成23年12月1日(2011.12.1)
【手続補正１】
【補正対象書類名】実用新案登録請求の範囲
【補正対象項目名】全文
【補正方法】変更
【補正の内容】
【実用新案登録請求の範囲】
【請求項１】
一個のクラブヘッド（１）、一個のシャフト（３）およびクラブヘッド（１）にシャフト（３）を取り付けるための一個の急速連結ユニット（２）を有するゴルフクラブにおいて、クラブヘッド（１）には一個のヘッド本体（１１）、一個のフェース板（１２）および一個のホーゼル（１３）が含まれ、ヘッド本体（１１）とフェース板（１２）は互いに結合するように形成され、ホーゼル（１３）はヘッド本体（１１）とフェース板（１２）の間に設けられ、かつホーゼル（１３）は一個の頚部（１３１）と頚部（１３１）の下方側に位置する一個の組立部（１３２）とに分割され、頚部（１３１）はヘッド本体（１１）とフェース板（１２）の表面から突出するように形成され、組立部（１３２）はヘッド本体（１１）とフェース板（１２）の内に被覆され、頚部（１３１）の端面には一個の組立孔（１３３）が組立部（１３２）まで凹み込むように設けられ、組立部（１３２）の外表面には少なくとも一個の結合孔（１３４）が組立孔（１３３）まで貫穿するように設けられ、かつ、組立孔（１３３）の中に挿入された急速連結ユニット（２）は結合孔（１３４）を充填するように設けられた結合体（４）により固定され、シャフト（３）の一端は急速連結ユニット（２）に固設されることを特徴とするゴルフクラブ。
【請求項２】
急速連結ユニット（２）には一個の位置決めリング（２１）と一個のスリーブ（２２）が含まれ、シャフト（３）はスリーブ（２２）の中に設けられ、スリーブ（２２）の下端には位置決めリング（２１）が設けられ、位置決めリング（２１）はホーゼル（１３）の各結合孔（１３４）に設けられた結合体（４）により固定されることを特徴とする請求項１に記載のゴルフクラブ。
【請求項３】
位置決めリング（２１）には一個の位置決め孔（２１１）が含まれ、位置決め孔（２１１）の径方向の断面形状は非真円形であり、スリーブ（２２）には軸方向に対向する二個の端面が含まれ、その内の一方の端面側にはシャフト（３）を受容するための軸方向に延びる一個の固定孔（２２１）が設けられ、スリーブ（２２）のもう一方の端面側には軸方向に延びる一個の固定部（２２２）が設けられ、固定部（２２２）の径方向の外周面の断面形状は固定部（２２２）を位置決め孔（２１１）の中に挿入できるように位置決め孔（２１１）の径方向の断面形状と同じであることを特徴とする請求項２に記載のゴルフクラブ。
【請求項４】
それぞれの結合体（４）は位置決めリング（２１）の外周面に結合されることを特徴とする請求項３に記載のゴルフクラブ。
【請求項５】
組立孔（１３３）の内周壁面には一個の係止部（１３５）が設けられ、位置決めリング（２１）は係止部（１３５）に当接するように形成されることを特徴とする請求項２、３または４に記載のゴルフクラブ。
【請求項６】
固定部（２２２）が形成されるスリーブ（２２）の端面には一個のねじ孔（２２３）が設けられ、係止部（１３５）は一個の平板からなり、かつねじ孔（２２３）に相対するように一個の貫穿孔（１３６）が設けられ、貫穿孔（１３６）は一個の固定部材（５）が貫穿してねじ孔（２２３）と螺合するのに用いられることを特徴とする請求項５に記載のゴルフクラブ。
【請求項７】
固定孔（６２１）の内には一個の嵌設部（６２２）が設けられ、シャフト（３’）が固定孔（６２１）内に設けられる端面にも一個の嵌設部（３１’）が設けられ、かつシャフト（３’）の嵌設部（３１’）は固定孔（６２１）内の嵌設部（６２２）に結合されることを特徴とする請求項３または４に記載のゴルフクラブ。
【請求項８】
二個の嵌設部（６２２、３１’）は相対する一個の突出体と一個の係止溝からなることを特徴とする請求項７に記載のゴルフクラブ。
【請求項９】
スリーブ（６２）の外周面には一個の締め付け部（６２５）が設けられ、締め付け部（６２５）は固定孔（６２１）が設けられるスリーブ（６２）の端面に隣接するとともに、上記端面に向かって段々と縮小するように形成され、かつ締め付け部（６２５）には固定孔（６２１）の軸方向に沿って複数個のスリット（６２６）が設けられ、クラブヘッド（１）には他に一個の締め付け部材（６３）が含まれ、締め付け部材（６３）には一個の円錐形の押圧孔（６３１）が含まれ、押圧孔（６３１）の内周壁面の押圧によって締め付け部（６２５）はシャフト（３’）に当接するように形成されることを特徴とする請求項３または４に記載のゴルフクラブ。
【請求項１０】
ホーゼル（１３）はヘッド本体（１１）またはフェース板（１２）に一体になるように固設されることを特徴とする請求項１、２、３または４に記載のゴルフクラブ。
【手続補正２】
【補正対象書類名】明細書
【補正対象項目名】全文
【補正方法】変更
【補正の内容】
【考案の詳細な説明】
【技術分野】
【０００１】
本考案は、ゴルフクラブに関するもので、特にクラブヘッドとシャフトを結合した後、その外観は表面の完全性を有するゴルフクラブに係るものである。
【背景技術】
【０００２】
従来のゴルフクラブの一種として、例えば中華民国公告第Ｍ３０６１２７号の「ゴルフクラブヘッドの角度調整自在の結合構造」（特許文献１を参照）と図６に掲示されるゴルフクラブヘッドを参照すると、ゴルフクラブには一個のクラブヘッド８１、一個の急速連結ユニット８２および一個のシャフト８３が含まれ、かつクラブヘッド８１は急速連結ユニット８２を通じてシャフト８３の一端に組み立てられる。その中、クラブヘッド８１には突き出るように一個の頚部８１１が形成され、頚部８１１の端面には一個の調整孔８１２が設けられ、かつ頚部８１１の外表面において調整孔８１２の径方向に沿って一個の係止孔８１３が設けられる。急速連結ユニット８２には一個の位置決めリング８２１、一個のワッシャ８２２、一個の調節リング８２３、一個の係止軸８２４、一個のスリーブ管８２５および一個の固定スリーブ８２６が含まれ、かつ係止軸８２４とスリーブ管８２５にはそれぞれ一個の係止孔８２４ａ、８２５ａが全て設けられる。
【０００３】
上述した従来のゴルフクラブの構造を組み立てる時、主に一個の固定部材８４を利用してクラブヘッド８１の係止孔８１３を貫穿し、それから係止軸８２４とスリーブ管８２５の係止孔８２４ａ、８２５ａの中に螺設して固定することにより、クラブヘッド８１とシャフト８３を組み合わせて一個のゴルフクラブとして形成することができるようにしたものである。
【０００４】
従来の別のゴルフクラブとして、例えば特開２００８−２８４２８９号の「ゴルフクラブ」（特許文献２を参照）と図７に掲示されるゴルフクラブヘッドを参照すると、ゴルフクラブには一個のクラブヘッド９１、一個のスリーブ管９２、一個の固定リング９３、一個のシャフト９４および一個の固定部材９５が含まれる。その中、クラブヘッド９１には突き出るように一個の頚部９１１が形成され、頚部９１１の端面には一個の組立孔９１２と複数個の係止溝９１３が設けられ、かつ頚部９１１の外表面において組立孔９１２の径方向に沿って一個の係止孔９１４が設けられる。スリーブ管９２の一端の端面には一個の固定孔９２１が設けられ、かつその端面の外周面には複数個の突出体９２２が設けられ、スリーブ管９２のもう一端の端面の外周面には固定孔９２１の径方向に沿って一個の係止孔９２３が設けられる。
【０００５】
この従来のゴルフクラブの構造を組み立てる時、シャフト９４の一端は固定スリーブ９３を貫穿し、それからスリーブ管９２の固定孔９２１の中に貫穿して固定され、スリーブ管９２に係止孔９２３が設けられる一端は組立孔９１２の中に貫穿され、かつそれぞれの突出体９２２はそれぞれの係止溝９１３に嵌設され、ホーゼル９２のねじ孔９２３とクラブヘッド９１の係止孔９１４とは互いに合わせるように形成され、それから再び固定部材９５を利用して螺設して固定することにより、クラブヘッド９１とシャフト９４を組み合わせて一個のゴルフクラブとして形成することができるようにしたものである。
【先行技術文献】
【特許文献】
【０００６】
【特許文献１】中華民国公告第Ｍ３０６１２７号
【特許文献２】特開２００８−２８４２８９号
【考案の概要】
【考案が解決しようとする課題】
【０００７】
上述した従来のゴルフクラブの前者のものにおいては、一般的に次のような問題点を有している。従来のゴルフクラブの構造では、クラブヘッド８１の外表面において係止孔８１３を設け、係止孔８１３に固定部材８４を貫穿して係止軸８２４とスリーブ管８２５を螺設して組み立てなければならず、そのためにゴルフクラブの表面の完全性を破壊してしまうという問題点があった。また、外部の水気も係止孔８１３と固定部材８４の間の隙間を経由してクラブヘッド８１の内部に滲み込み易くなり、固定部材８４と頚部８１１の内に組み立てられる係止軸８２４およびスリーブ管８２５は腐食したりまたは酸化したりすることにより、それぞれの部材の間が緩むようになるため、ゴルフクラブの使用寿命に影響を及ぼしてしまうという問題点があった。さらに、従来の構造ではその構成される部材が多くなるため、部材の製造コストが高くなり、かつ組立の製造工程が複雑になるという問題点があった。
【０００８】
また、後者の従来のゴルフクラブにおいては、上述した前者のゴルフクラブの構造と比較すると、その構成される部材は相対的に簡単化にされるが、依然として固定部材９５がクラブヘッド９１の表面から露出する問題を解決することができないため、依然としてゴルフクラブの表面の完全性を破壊してしまうという問題点があった。また、外部の水気も係止孔９１４と固定部材９５の間の隙間から滲み込み易くなり、クラブヘッド９１の内部のそれぞれの部材は腐食したりまたは酸化したりすることにより、それぞれの部材の間が緩むようになるため、同様にゴルフクラブの使用寿命に影響を及ぼしてしまうという問題点があった。このように、上記のような従来のゴルフクラブはさらなる改良を必要とするものであった。
【０００９】
本考案はこのような問題点に鑑みて考案されたものであって、その主な目的とするところは、ゴルフクラブの表面の完全性を破壊することがないゴルフクラブを提供することである。
【００１０】
本考案の第二の目的は、水気がゴルフクラブの内部に滲み込むのを防止することにより、ゴルフクラブの内部に組み立てられる部材が腐食したり酸化したりするのを避けることができるゴルフクラブを提供するにある。
【課題を解決するための手段】
【００１１】
上記目的を達成するために、本考案によるゴルフクラブは、一個のクラブヘッド、一個のシャフトおよびクラブヘッドにシャフトを取り付けるための一個の急速連結ユニットを有する。クラブヘッドには一個のヘッド本体、一個のフェース板および一個のホーゼルが含まれ、ヘッド本体とフェース板は互いに結合するように形成される。ホーゼルはヘッド本体とフェース板の間に設けられ、かつホーゼルは一個の頚部と頚部の下方側に位置する一個の組立部とに分割される。頚部はヘッド本体とフェース板の表面から突出するように形成され、組立部はヘッド本体とフェース板の内に被覆される。頚部の端面には組立部まで凹み込むように一個の組立孔が設けられ、組立部の外表面には組立孔まで貫穿する少なくとも一個の結合孔が設けられ、かつ、組立孔の中に挿入された急速連結ユニットは結合孔を充填するように設けられた結合体により固定される。シャフトの一端は急速連結ユニットに固設される。
【００１２】
また、急速連結ユニットには一個の位置決めリングと一個のスリーブが含まれ、シャフトはスリーブの中に設けられ、スリーブの下端には位置決めリングが設けられ、位置決めリングはホーゼルの各結合孔に設けられた結合体により固定されることもできる。また、位置決めリングには一個の位置決め孔が含まれ、位置決め孔の径方向の断面形状は非正円形であり、スリーブには二個の端面が含まれ、その内の一個の端面には一個の固定孔が設けられ、シャフトは固定孔に設けられ、スリーブのもう一方の端面には一個の固定部が設けられ、固定部が固定孔に沿った径方向の断面形状は位置決め孔の径方向の断面形状とは同じであり、かつ固定部は位置決め孔の中に設けられることもできる。また、位置決めリングには一個の位置決め孔が含まれ、位置決め孔の径方向の断面形状は非真円形であり、スリーブには軸方向に対向する二個の端面が含まれ、その内の一方の端面側にはシャフトを受容するための軸方向に延びる一個の固定孔が設けられ、スリーブのもう一方の端面側には軸方向に延びる一個の固定部が設けられ、固定部の径方向の外周面の断面形状は固定部を位置決め孔の中に挿入できるように位置決め孔の径方向の断面形状と同じであることもできる。また、それぞれの結合体は位置決めリングの外周面に結合されることもできる。また、組立孔の内周壁面には一個の係止部が設けられ、位置決めリングは係止部に当接するように形成されることもできる。また、スリーブにおいて固定部が形成される端面には一個のねじ孔が設けられ、係止部は一個の平板からなり、かつねじ孔に相対するように一個の貫穿孔が設けられ、貫穿孔は一個の固定部材が貫穿してねじ孔と螺合するのに用いられることもできる。また、固定孔の内には一個の嵌設部が設けられ、シャフトが固定孔の内に設けられる端面にも一個の嵌設部が設けられ、かつシャフトの嵌設部は固定孔の内の嵌設部に結合されることもできる。また、二個の嵌設部は相対する一個の突出体と一個の係止溝からなることもできる。また、スリーブの外周面には一個の締め付け部が設けられ、締め付け部はスリーブにおいて固定孔が設けられる端面に隣接するとともに、上記端面に向かって段々と縮小するように形成され、かつ締め付け部には固定孔の軸方向に沿って複数個のスリットが設けられ、クラブヘッドには他に一個の締め付け部材が含まれ、締め付け部材には一個の円錐形の押圧孔が含まれ、押圧孔の内周壁面の押圧によって締め付け部はシャフトに当接するように形成されることもできる。また、ホーゼルは一体になるようにヘッド本体またはフェース板に固設されることもできる。
【考案の効果】
【００１３】
本考案のゴルフクラブによれば、ゴルフクラブの表面の完全性を破壊することがないという利点がある。
【００１４】
本考案のゴルフクラブによれば、水気がゴルフクラブの内部に滲み込むのを防止することができるため、ゴルフクラブの内部に組み立てられる部材が腐食したり酸化したりするのを避けることができるという利点がある。
【図面の簡単な説明】
【００１５】
【図１】図１は、本考案の実施例１によるゴルフクラブの分解斜視図である。
【図２】図２は、本考案の実施例１によるゴルフクラブの分解平面図である。
【図３】図３は、本考案の実施例１によるゴルフクラブの組み立てられた状態の断面図である。
【図４】図４は、本考案の実施例２によるゴルフクラブの分解斜視図である。
【図５】図５は、本考案の実施例２によるゴルフクラブの組み立てられた状態の断面図である。
【図６】図６は、従来のゴルフクラブを示す解斜視図である。
【図７】図７は、別の従来のゴルフクラブを示す分解平面図である。
【考案を実施するための形態】
【００１６】
本考案の実施の形態について、以下、図面を参照して説明する。
【実施例１】
【００１７】
図１は本考案の実施例１によるゴルフクラブの分解斜視図で、図２は本考案の実施例１によるゴルフクラブの分解平面図である。図１、２を参照すると、本考案の実施例１のゴルフクラブには一個のクラブヘッド１、一個の急速連結ユニット２および一個のシャフト３が含まれる。その中、クラブヘッド１は急速連結ユニット２を通じてシャフト３の一端に組み立てられる。このため、使用者は手でシャフト３を握ってクラブヘッド１を利用して打球することができる。
【００１８】
クラブヘッド１には一個のヘッド本体１１、一個のフェース板１２および一個のホーゼル１３が含まれる。ヘッド本体１１とフェース板１２は互いに結合するように形成され、ホーゼル１３はヘッド本体１１とフェース板１２の間に設けられる。また、ホーゼル１３を予め一体になるようにヘッド本体１１とフェース板１２の内の一方に固設することもできる。実施例１においてホーゼル１３はフェース板１２に固設され、かつホーゼル１３は一個の頚部１３１と一個の組立部１３２により構成される。頚部１３１はヘッド本体１１とフェース板１２の外表面から突設するように形成され、組立部１３２はヘッド本体１１とフェース板１２の内部に被覆される。頚部１３１の端面には一個の組立孔１３３が設けられる。組立孔１３３は頚部１３１の端面から組立部１３２まで凹み込むように設けられ、かつ組立部１３２の外表面には組立孔１３３まで貫穿するように少なくとも一個の結合孔１３４が設けられ、それぞれの結合孔１３４は組立孔１３３の径方向に沿って貫穿するように設けられる。
【００１９】
その他に、組立孔１３３の内周壁面には一個の係止部１３５が設けられる。係止部１３５は一個の平板または一個の環状体からなる。実施例１においては係止部１３５は一個の環状体からなり、かつその中央に一個の貫穿孔１３６が形成される。
【００２０】
図３は本考案の実施例１によるゴルフクラブの組み立てられた状態の断面図である。図１、２、３を参照すると、急速連結ユニット２はクラブヘッド１の頚部１３１とシャフト３の間を連結するのに用いられる。実施例１において、急速連結ユニット２は一個の位置決めリング２１と一個のスリーブ２２により構成されるが、これだけに限定されるものではない。位置決めリング２１には一個の位置決め孔２１１が含まれ、位置決め孔２１１の径方向の断面形状は非正円形からなることができる。位置決めリング２１は組立孔１３３の中に設けられ、位置決めリング２１は係止部１３５に当接するように形成され、かつそれぞれの結合孔１３４が組立孔１３３の内周壁面を貫穿する一端は位置決めリング２１の外周面に向くように形成される。これにより、少なくとも一個の結合体４を利用してそれぞれの結合孔１３４に設け、さらに位置決めリング２１の外周面に結合されることにより、位置決めリング２１は組立孔１３３に相対して移動したりまたは回動したりすることはできなくなる。
【００２１】
結合体４はいかなるホーゼル１３と位置決めリング２１とを互いに固定する結合物質からなることができ、例えば溶接材、粘着剤、ピンまたはボルトである。実施例１において結合体４は溶接材または粘着剤からなり、この溶接材または粘着剤がそれぞれの結合孔１３４の中に充填され、そして固化して成形された時、上記溶接材または粘着剤は同時に位置決めリング２１の外周面に結合されるため、位置決めリング２１は安定して組立孔１３３の中に結合される。また、結合体４もピンまたはボルトからなることができ、それは位置決めリング２１の外周面においてそれぞれの結合孔１３４に相対する場所に係止孔またはねじ孔が設けられることにより、上記ピンまたはボルトはそれぞれの結合孔１３４を経由して係止孔またはねじ孔の中に固定されるため、同様に位置決めリング２１を安定して組立孔１３３の中に結合することができる。
【００２２】
スリーブ２２には二個の端面が含まれ、その内の一方の端面には一個の固定孔２２１が設けられ、スリーブ２２のもう一方の端面には一個の固定部２２２が設けられ、かつ固定部２２２が固定孔２２１に沿った径方向の断面形状は位置決め孔２１１の径方向の断面形状と同じである。スリーブ２２も組立孔１３３の中に設けられ、さらに固定部２２２は位置決め孔２１１に貫穿され、かつ固定部２２２と位置決め孔２１１が互いに嵌合するのを利用し、スリーブ２２はホーゼル１３に相対して回動することができなくなる。
【００２３】
スリーブ２２を組立孔１３３に置き入れる時、スリーブ２２の外表面と組立孔１３３の内周壁面の間において粘着剤を塗布することにより、スリーブ２２を安定して組立孔１３３の中に結合することができる。または、スリーブ２２において固定部２２２が設けられる端面に一個のねじ孔２２３を増設し、さらに一個の固定部材５を利用して貫穿孔１３６を経由してねじ孔２２３の中に螺設することにより、スリーブ２２とホーゼル１３の安定した結合作用を確保することができる。
【００２４】
シャフト３の一端は固定孔２２１の中に設けられ、かつシャフト３を固定孔２２１に置き入れる時、同様にシャフト３の外表面と固定孔２２１の内周壁面の間に粘着剤を塗布することにより、シャフト３は安定して固定孔２２１の中に結合される。
【００２５】
本考案のホーゼル１３の組立部１３２はヘッド本体１１とフェース板１２の内部に被覆されるため、かつ組立部１３２に急速連結ユニット２を結合するための結合孔１３もヘッド本体１１とフェース板１２の内部に被覆されるため、ゴルフクラブの組み立てを終えた後、クラブヘッド１の表面においてはいかなる結合孔または固定部材も露出せず、ゴルフクラブの表面の完全性を破壊することはない。また、本考案のゴルフクラブの表面にはいかなる穴または隙間もないため、水気がクラブヘッド１の内部に滲み込むのを避けることができ、そのため、クラブヘッドの内部に組み立てられるそれぞれの部材が腐食または酸化によって緩んでしまうのを防止することができ、ゴルフクラブの打球の性能と使用寿命に悪影響を及ぼすことはない。
【実施例２】
【００２６】
図４は本考案の実施例２によるゴルフクラブの分解斜視図で、図５は本考案の実施例２によるゴルフクラブの組み立てられた状態の断面図である。図４、５を参照すると、本考案の実施例２のゴルフクラブにも一個のクラブヘッド１、一個の急速連結ユニット６および一個のシャフト３’が含まれる。その中、実施例２のクラブヘッド１は上述した実施例１と大体同じである。
【００２７】
急速連結ユニット６には一個の位置決めリング６１、一個のスリーブ６２および一個の締め付け部材６３が含まれる。位置決めリング６１にも径方向の断面形状が非正円形である一個の位置決め孔６１１が含まれ、さらにそれぞれの結合体４を利用してそれぞれの結合孔１３４を経由して位置決めリング６１の外周面に固定される。スリーブ６２には二個の端面が含まれ、その内の一方の端面には一個の固定孔６２１が設けられ、かつ固定孔６２１の内には一個の嵌設部６２２が含まれ、スリーブ６２の他方の端面には一個の固定部６２３が形成され、かつ固定部６２３が固定孔６２１に沿った径方向の断面形状は位置決め孔６１１の径方向の断面形状と同じである。
【００２８】
他に、スリーブ６２の外周面には一個のねじ部６２４と一個の締め付け部６２５が設けられる。締め付け部６２５は固定孔６２１が設けられる端面に隣接するとともに、上記端面に向かって段々と縮小するように形成され、かつ締め付け部６２５には固定孔６２１の軸方向に沿って複数個のスリット６２６が設けられる。スリーブ６２は組立孔１３３の中に設けられ、さらに固定部６２３は位置決め孔６１１に貫穿され、かつ固定部６２３と位置決め孔６１１が互いに嵌合するのを利用し、スリーブ６２はホーゼル１３に相対して回動することはできなくなる。また、スリーブ６２を組立孔１３３に置き入れる時、スリーブ６２の外表面と組立孔１３３の内周壁面の間において粘着剤を塗布することにより、スリーブ６２を安定して組立孔１３３の中に結合することができる。さらに、締め付け部材６３には一個の円錐形の押圧孔６３１が含まれ、かつ押圧孔６３１の内周壁面には一個のねじ部６３２が形成される。
【００２９】
シャフト３’の一端には一個の嵌設部３１’が設けられ、かつシャフト３’は嵌設部３１’が設けられる端面で締め付け部材６３の押圧孔６３１を貫穿した後、再び固定孔６２１の中に貫穿して設けられるため、シャフト３’の嵌設部３１’は固定孔６２１の内の嵌設部６２２に固定され、かつ二個の嵌設部３１’、６２２は相対する一個の突出体と一個の係止溝からなることができる。締め付け部材６３のねじ部６３２はスリーブ６２のねじ部６２４に螺設され、かつ締め付け部材６３の螺設による前進の過程において円錐状の押圧孔６３１はスリーブ６２の締め付け部６２５を固定孔６２１の中央に向かって集中するように押圧させ、さらにシャフト３’の外表面に当接させることにより、シャフト３’は安定して固定孔６２１の中に固定される。
【００３０】
上述したように、本考案のゴルフクラブの組み立てを終えた後、クラブヘッドの表面においてはいかなる結合孔または固定部材も露出しないため、ゴルフクラブの表面の完全性を破壊することはない。また、水気がクラブヘッドの内部に滲み込むのを避けることができ、さらにクラブヘッドの内部に組み立てられるそれぞれの部材が腐食または酸化によって緩んでしまうのを防止することができるため、ゴルフクラブの打球の性能と使用寿命に悪影響を及ぼすことはない。
【００３１】
本考案は、その精神と必須の特徴事項から逸脱することなく他のやり方で実施することもできる。従って、本明細書に記載した好ましい実施例は例示的なものであり、限定的なものではない。
【符号の説明】
【００３２】
１    クラブヘッド
１１    ヘッド本体
１２    フェース板
１３    ホーゼル
１３１    頚部
１３２    組立部
１３３    組立孔
１３４    結合孔
１３５    係止部
１３６    貫穿孔
２    急速連結ユニット
２１    位置決めリング
２１１    位置決め孔
２２    スリーブ
２２１    固定孔
２２２    固定部
２２３    ねじ孔
３    シャフト
３’    シャフト
３１’    嵌設部
４    結合体
５    固定部材
６    急速連結ユニット
６１    位置決めリング
６１１    位置決め孔
６２    スリーブ
６２１    固定孔
６２２    嵌設部
６２３    固定部
６２４    ねじ部
６２５    締め付け部
６２６    スリット
６３    締め付け部材
６３１    押圧孔
６３２    ねじ部
８１    クラブヘッド
８１１    頚部
８１２    調整孔
８１３    係止孔
８２    急速連結ユニット
８２１    位置決めリング
８２２    ワッシャ
８２３    調節リング
８２４    係止軸
８２４ａ    係止孔
８２５    スリーブ管
８２５ａ    係止孔
８２６    固定スリーブ
８３    シャフト
８４    固定部材
９１    クラブヘッド
９１１    頚部
９１２    組立孔
９１３    係止溝
９１４    係止孔
９２    スリーブ管
９２１    固定孔
９２２    突出体
９２３    ねじ孔
９３    固定リング
９４    シャフト
９５    固定部材